(57)【要約】【課題】移動体の内外において、共通のインタフェースで利用することができ、ユーザへの負担が少ない移動体用情報提示装置及び方法並びに情報提示用プログラムを提供する。【解決手段】受信したページデータに基づいて、ページを表示装置１０に表示させるＨＴＭＬファイル表示エンジン８１と、ＨＴＭＬファイル中にリンク先の情報が存在するとき、ページとともに、各リンク先の情報の項目表示であるユーザインタフェース画像を表示させるユーザインタフェース画像作成部８４と、ユーザインタフェース画像のうち、リンク先へジャンプさせる項目を選択するための入力装置９とを備える。入力装置９に、ユーザインタフェース画像における各項目の位置に対応する複数のスイッチ９１と、ユーザインタフェース画像の表示及び非表示の切り替えを指示するタッチセンサ９２を備える。【選択図】　図１
2004038342.tif 000002
【特許請求の範囲】
【請求項１】
受信したページデータに基づいて、ページを表示装置に表示する移動体用情報提示装置において、
前記ページデータ中に一又は二以上のリンク先の情報が存在するとき、前記ページとともに、各リンク先の情報の項目表示であるユーザインタフェース画像を前記表示装置に表示させるユーザインタフェース制御装置と、
前記ユーザインタフェース画像のうち、前記リンク先へジャンプさせる項目を選択するための入力装置と、
を備えたことを特徴とする移動体用情報提示装置。
【請求項２】
前記入力装置は、前記ユーザインタフェース画像における各項目の位置に相対的に対応する複数のスイッチを有することを特徴とする請求項１記載の移動体用情報提示装置。
【請求項３】
前記表示装置は、前記ユーザインタフェース画像における各項目を選択するタッチパネルを備えたことを特徴とする請求項１又は請求項２記載の移動体用情報提示装置。
【請求項４】
前記入力装置は、前記ユーザインタフェース制御装置に対して、前記表示装置へのユーザインタフェース画像の表示及び非表示の切り替えを指示する切替指示手段を有することを特徴とする請求項１〜３のいずれか１項に記載の移動体用情報提示装置。
【請求項５】
前記切替指示手段は、タッチセンサであることを特徴とする請求項１〜４のいずれか１項に記載の移動体用情報提示装置。
【請求項６】
前記入力装置と前記ユーザインタフェース制御装置とは、無線を介して信号を送受信可能に設けられていることを特徴とする請求項１〜５のいずれか１項に記載の移動体用情報提示装置。
【請求項７】
前記入力装置と前記ユーザインタフェース制御装置とは、赤外線を介して信号を送受信可能に設けられていることを特徴とする請求項１〜５のいずれか１項に記載の移動体用情報提示装置。
【請求項８】
前記表示装置、前記ユーザインタフェース制御装置及び前記入力装置は、車両に搭載されていることを特徴とする請求項１〜７のいずれか１項に記載の移動体用情報提示装置。
【請求項９】
前記表示装置、前記ユーザインタフェース制御装置及び前記入力装置は、ナビゲーション装置に構成されていることを特徴とする請求項１〜８のいずれか１項に記載の移動体用情報提示装置。
【請求項１０】
受信したページデータに基づいて、ページを表示装置に表示する移動体用情報提示方法において、
前記ページデータ中に一又は二以上のリンク先の情報が存在するとき、前記ページとともに、各リンク先の情報を項目表示させ、
前記項目を選択すると、そのリンク先へジャンプさせることを特徴とする移動体用情報提示方法。
【請求項１１】
移動体に搭載されたコンピュータを制御することにより、受信したページデータに基づいて、ページを表示装置に表示させる情報提示用プログラムにおいて、
前記ページデータ中に一又は二以上のリンク先の情報が存在するとき、前記ページとともに、各リンク先の情報を項目表示させ、
前記項目を選択すると、そのリンク先へジャンプさせることを特徴とする情報提示用プログラム。
【発明の詳細な説明】
【０００１】
【発明の属する技術分野】
本発明は、例えば、インターネット等の通信ネットワークにおけるブラウザによるページ表示において、車両等の移動体で使用される場合のユーザインタフェースに改良を施した移動体用情報提示装置及び方法並びに情報提示用プログラムに関するものである。
【０００２】
【従来の技術】
インターネット上における情報提供等の代表的サービスとしては、電子メールに並び、ＷＷＷ（ワールド・ワイド・ウェブ）が挙げられる。これはサーバ・クライアント・システム型のサービスで、その名称は、世界中（ワールド・ワイド）のサーバに存在する無数のページを、ハイパーリンクと呼ばれる関連付け機能により蜘蛛の巣（ウェブ）のように結合していることに由来する。
【０００３】
ＷＷＷでは、情報単位となる各ページは、ＨＴＭＬ（ＨｙｐｅｒＴｅｘｔ　Ｍａｒｋｕｐ　Ｌａｎｇｕａｇｅ）等のページ記述言語で記述されたデータで表され（本出願においてページデータと呼ぶ）、ページデータはページを構成する文字列や画像、それらの表示態様指定などを含み、クライアントシステム（以下単に「クライアント」とも呼ぶ）のブラウザ・ソフトウェアからのページリクエストに応じサーバシステム（以下単に「サーバ」とも呼ぶ）から返送される。すなわち、インターネット接続用のＴＣＰ／ＩＰ処理機能に、ブラウザを組み合わせれば、多様な機器でＷＷＷの情報を入手し、表示することが可能である。
【０００４】
また、ページ間を結合するハイパーリンクは、単に「リンク」とも呼ばれ、ページデータ中に埋め込まれる記述であり、リンク元の文字列や画像（オブジェクトと呼ぶ）の指定と、そのオブジェクトが操作されたときの飛び先（ジャンプ先）ページの指定（ＵＲＬ）を含む。また、一般的には、ハイパーリンクが設定されたオブジェクトについては表示画面上において、青色など特定の色がついたり、下線がついたり、マウスでポイント（指し示す）するとポインタが手の形になったり、押しボタン型で表示されるなど、それとわかるような表示が行われる。
【０００５】
そして、各ページが関連先のページへのこのようなハイパーリンクを張る（設定）ことにより、閲覧者は、マウスクリック等によりオブジェクトを操作するだけで、次のページや目次ページ、他のリンク先などへ表示が切り替わり、関連する必要な情報を次々と容易に得ることが可能となっている。これは、つまり、サーバシステム等を構成する単体の機器内部のデータストレージ（たとえばＣＤ−ＲＯＭやＨＤＤ等）のデータを、ＨＴＭＬという書式を使い、リンクという形で関連付けることによって、目的とする情報に容易に到達できるようになっている。この方式においては、例えば、新しい情報が加えられた場合には、個々のＨＴＭＬファイルに変更を加えるだけで、いわばネットワークで構築された多量のデータベース全体が更新されるという特徴を持っている。
【０００６】
このようなリンクが動作する具体的処理手順は次のようになる。まず、ハイパーリンクが設定されたページ中のオブジェクトが操作されると、最初にクライアント側が、ハイパーリンクの記述にしたがって、そこに記述された飛び先のファイルが存在するサーバに対して、目的とするファイルを要求するページリクエストを送信する。サーバはその要求にこたえる形で該当するＨＴＭＬファイルを送出し、クライアント側では受け取ったＨＴＭＬファイルをブラウザ・ソフトウェアが表示装置に表示する。そして、同様に、ＨＴＭＬファイルに埋め込まれた次のハイパーリンクをたどることにより、目的とするファイルが逐次得られ、引き続き情報を入手することが可能となる。
【０００７】
ここで、リンクを辿るには、希望のリンクを選択する何らかのリンク操作が必要であり、このような場合の具体的従来技術は、クライアントがサーバから取得したページの情報を、ディスプレイ上にＨＴＭＬファイルの規則にしたがって表示し、その中のオブジェクトに対し、マウスなどのポインティングデバイスによるポインタでポイント（指し示す）しマウスボタンをクリックする等の操作を行うか、タッチパネルディスプレイの該当個所に指でタッチするなどの操作であった。
【０００８】
このように、インターネットに代表される情報提示システムにおいては、データベースを、ＨＴＭＬという情報提示書式の中に、情報自体と、これらを関連付ける「リンク」というものを同時に提供することで、ユーザが多くの情報から必要とする情報に容易に到達できるようになり、広範囲に用いられている。また、新規の情報が加えられた場合には、その部分におけるＨＴＭＬの内容の相対関係を変更するだけで、全体構造を変更する必要がないという特徴がある。また、このＨＴＭＬという情報提示書式においては、情報とそのリンクを同一の画面上に構成することが可能であるために、多くの情報がある場合であっても、その全体像を良好に把握する手段として有効に利用することが可能である。
【０００９】
ところで、近年、車載用電子機器の多機能化は著しく、従来のラジオ、オーディオシステムとしての機能のみならず、ナビゲーションシステムやビデオシステムとしての機能も追加されているものが広く普及している。中でも、ナビゲーションシステムは、ＣＤ−ＲＯＭやＤＶＤ−ＲＯＭ等の記録媒体に記録された情報や、ネットワークを介して取得したデータベースに基づいて、出発地から目的地までの最適の経路を検索できるとともに、目的地となる地点や、周辺施設の情報等を取得することもできるので、いわば情報機器としての機能を有している。
【００１０】
このような情報機器において、記録媒体に記録された多量の情報から必要な情報を取得する場合には、あらかじめ階層構造で分類された情報を、ディスプレイ等の表示装置に、大分類名からボタン表示し、そのボタンのいずれかをカーソル等で選択することによって、次位の階層の分類名をボタン表示してそのいずれかを選択し、最終的に最も下の階層の分類名を選択した段階で、最終的にその分類名に相当する情報が表示される。例えば、ナビゲーションシステムにおける目的地設定のような場合には、最初に目的地設定の方法を選択した後で、大分類、小分類といったように選択していき、最後に地名もしくは、固有名詞という形で選択を行う
【００１１】
しかしながら、車載用情報機器においては、表示装置に一度に表示することのできるボタンの数に制限があったり、提示可能な階層構造に制限があるために、それらの分類方法に多くの制限がある。これに対処するため、それぞれの機器は特有の分類方法をとっているが、その作成者が意図した分類方法と、ユーザが意図する分類方法が一致しない場合がある。かかる場合には、ナビゲーションシステムにおいて目的地を設定する際に、必要以上の時間が要求されることになる。
【００１２】
また、このような階層構造の項目を、一つ一つ指定していく方法の場合には、それを制御するシステムが階層構造を常に正確に把握しておく必要があり、新規のデータを加えたり変更したりする場合には、データを更新することのほかに、そのデータ構造を、それぞれの機器固有の制限の下で、再構築及び更新する必要が生じてくる。ユーザ固有の情報を加える場合においても、その階層構造を変えるためには、難しい手続を踏む必要がある。例えば、車両内のデータベースのように、比較的変更頻度が少ない情報の場合には、システムが階層構造を把握し続けることはある程度可能である。しかしながら、ネットワークを介して取得するデータベースを対象とするような場合には、データベースの変更が頻繁に行なわれるために、それらの階層構造を、車載機器内のシステムが把握することは困難である。
【００１３】
これに対処するため、車載用情報機器においても、携帯電話等の通信制御装置を介して、ＨＴＭＬ及びリンク等のインターネット上のサービスを利用することにより、情報の提示を受ける技術が提案されている。このような情報提示方式を導入することにより、単に、ＣＤ−ＲＯＭやＤＶＤ−ＲＯＭ等の記録媒体や、ネットワークを介して取得したデータベースから情報の提示を受ける場合に比べて、上記のような利点、すなわち、多くの情報の中から、ユーザが必要とする情報を容易に得ることができ、情報の更新や全体像の把握も容易となる。従って、例えば、車両外の環境において、インターネットを介して、あらかじめナビゲーションにおける目的地の設定や情報の収集を行っておき、その情報を車載情報機器に持ち込んで利用するという方法もとられるようになってきている。
【００１４】
【発明が解決しようとする課題】
しかしながら、車両外の環境において、上記のインターネットに代表されるような方式を用いて利用しているデータを、車両の内部において利用しようとすると、それぞれの機器に固有のデータベースの階層構造に基づいて、種々の操作を行う必要が生じるために、ユーザインタフェースに大きな違いがあり、これがユーザに対してより大きな混乱を与える要因となる。
【００１５】
また、車両が停止状態の場合には、車両外と同じような環境を実現し易いが、ユーザが車両を運転中の場合には、車両外においては考慮する必要がなかった種々の制限事項が多くなる。これに対処するため、提供される情報の構造自体を変更して、車両内での利用に合わせてしまうと、現状の階層構造に近いものになり、車両外での利用形態と大きく変わってしまうために、ユーザの負担が大きくなる。
【００１６】
本発明は、上記のような従来技術の問題点を解決するために提案されたもので、その目的は、移動体の内外において、共通のインタフェースで利用することができ、ユーザへの負担が少ない移動体用情報提示装置及び方法並びに情報提示用プログラムを提供することである。
【００１７】
【課題を解決するための手段】
上記の目的を達成するため、請求項１の発明は、受信したページデータに基づいて、ページを表示装置に表示する移動体用情報提示装置において、前記ページデータ中に一又は二以上のリンク先の情報が存在するとき、前記ページとともに、各リンク先の情報の項目表示であるユーザインタフェース画像を前記表示装置に表示させるユーザインタフェース制御装置と、前記ユーザインタフェース画像のうち、前記リンク先へジャンプさせる項目を選択するための入力装置とを備えたことを特徴とする。
【００１８】
請求項１０の発明は、請求項１の発明を方法の観点から捉えたものであり、受信したページデータに基づいて、ページを表示装置に表示する移動体用情報提示方法において、前記ページデータ中に一又は二以上のリンク先の情報が存在するとき、前記ページとともに、各リンク先の情報を項目表示させ、前記項目を選択すると、そのリンク先へジャンプさせることを特徴とする。
【００１９】
請求項１１の発明は、請求項１，１０の発明をコンピュータにより実行可能なプログラムの観点から捉えたものであり、移動体に搭載されたコンピュータを制御することにより、受信したページデータに基づいて、ページを表示装置に表示させる情報提示用プログラムにおいて、前記ページデータ中に一又は二以上のリンク先の情報が存在するとき、前記ページとともに、各リンク先の情報を項目表示させ、前記項目を選択すると、そのリンク先へジャンプさせることを特徴とする。
【００２０】
この態様では、ページデータ中のリンク先情報を、ページとともに、ユーザインタフェース画像として項目表示して、その項目を入力装置によって選択することによりリンク先へジャンプすることができるので、移動体内での操作を、移動体外での通常の情報機器に対する使い勝手に近いものとすることができ、ユーザに負担がかからない。
【００２１】
請求項２の発明は、請求項１記載の移動体用情報提示装置において、前記入力装置は、前記ユーザインタフェース画像における各項目の位置に相対的に対応する複数のスイッチを有することを特徴とする。
この態様では、入力装置におけるスイッチが、選択される項目の位置に対応しているので、ユーザが手探りでの選択操作をし易い。
【００２２】
請求項３の発明は、請求項１又は請求項２記載の移動体用情報提示装置において、前記表示装置は、前記ユーザインタフェース画像における各項目を選択するタッチパネルを備えたことを特徴とする。
この態様では、表示装置に設けられたタッチパネルによって、ユーザが視覚的に確認しながら項目の選択ができるので、操作し易い。
【００２３】
請求項４の発明は、請求項１〜３のいずれか１項に記載の移動体用情報提示装置において、前記入力装置は、前記ユーザインタフェース制御装置に対して、前記表示装置へのユーザインタフェース画像の表示及び非表示の切り替えを指示する切替指示手段を有することを特徴とする。
この態様では、切替指示手段によって、必要なときにのみ、ユーザインタフェース画像を表示させることができるので、通常のページ表示等、他の表示の邪魔にならない。
【００２４】
請求項５の発明は、請求項１〜４のいずれか１項に記載の移動体用情報提示装置において、前記切替指示手段は、タッチセンサであることを特徴とする。
この態様では、タッチセンサによってユーザインタフェース画像の表示、非表示を切り替えることができるので、運転中の操作がし易い。
【００２５】
請求項６の発明は、請求項１〜５のいずれか１項に記載の移動体用情報提示装置において、前記入力装置と前記ユーザインタフェース制御装置とは、無線を介して信号を送受信可能に設けられていることを特徴とする。
この態様では、入力装置とユーザインタフェース制御装置との間に配線を必要とせず、入力装置の配置位置の自由度が高くなるので、ユーザが操作し易い位置に配置して、利便性を向上させることができる。
【００２６】
請求項７の発明は、請求項１〜５のいずれか１項に記載の移動体用情報提示装置において、前記入力装置と前記ユーザインタフェース制御装置とは、赤外線を介して信号を送受信可能に設けられていることを特徴とする。
この態様では、電波の干渉を受けずに、入力装置による操作を行うことができるので、他の通信機器との親和性が高い。
【００２７】
請求項８の発明は、請求項１〜７のいずれか１項に記載の移動体用情報提示装置において、前記表示装置、前記ユーザインタフェース制御装置及び前記入力装置は、車両に搭載されていることを特徴とする。
この態様では、車載用の情報機器でありながら、車両外の通常の情報機器と同様の操作性が得られるので、ユーザが使用し易い。
【００２８】
請求項９の発明は、請求項１〜８のいずれか１項に記載の移動体用情報提示装置において、前記表示装置、前記ユーザインタフェース制御装置及び前記入力装置は、ナビゲーション装置に構成されていることを特徴とする。
この態様では、ナビゲーション装置における表示画面を利用して、ナビゲーションに必要な情報の提供を受けることができるので、車両内、特に走行中のナビゲーションの利便性が向上する。
【００２９】
【発明の実施の形態】
次に、本発明の実施の形態（以下「実施形態」と呼ぶ）について図面を参照して具体的に説明する。なお、本実施形態は、情報提示装置としても、これらを実現する方法及びプログラム並びにプログラムを記録した記録媒体としても把握可能である。
【００３０】
また、本実施形態は、コンピュータをプログラムやデータを含むソフトウェアで制御することにより実現できるが、この場合のハードウェアやソフトウェアの実現態様は各種変更可能であるから、以下の説明では、本発明及び本実施形態の各機能を実現する仮想的回路ブロックを用いる。
【００３１】
〔実施形態の構成〕
本実施形態における移動体用情報提供装置は、図１に示すように、ＲＯＭ制御装置１、一時記憶媒体制御装置２、書換可能記憶媒体制御装置３、可搬記憶媒体制御装置４、車両内ファイル制御装置５、通信制御装置６、メインＣＰＵ７、ユーザインタフェース制御装置８、入力装置９、表示装置１０等によって構成されている。また、車両外において、情報を取得するためのコンピュータ２０は、車両外ファイル制御装置２１、通信制御装置２２を有している。
【００３２】
ＲＯＭ制御装置１は、ＣＤ−ＲＯＭやＤＶＤ−ＲＯＭ等の記憶媒体から情報を読み取るための装置である。これらの記憶媒体には、例えば、ナビゲーション装置の場合においては、基本的な地図情報や、各種地図情報に付随した店舗情報や観光地情報およびそれらの位置データ等が保存されており、その記憶媒体が交換されるまで、内容は変更されないものである。かかる記憶媒体から情報を取得する場合には、ファイルの名称等で参照することができるが、内容も変更できないことから、参照する際のファイル名等の変更はない。
【００３３】
一時記憶媒体制御装置２は、メインＣＰＵ７等の一時的な記憶に用いられるものもであって、一般的なキャッシュメモリーとして使われる。通信制御装置６を介して取得したデータも、一時的に保存することができる。書換可能記憶媒体制御装置３は、例えば、ＨＤＤ装置等によって構成され、ＲＯＭ制御装置１からの情報と、最新の情報との間の差分情報を保持することができる。また、ユーザが、その内容を自由に変更することもできる。これらのデータを参照する場合には、ファイル名を指定することで取得することができると同時に、個々のファイルを車両内ファイル制御装置５の制御下に置くことにより、容易に参照することができる。
【００３４】
可搬記憶媒体制御装置４は、コンパクトフラッシュ等の持ち運び可能な記憶媒体の制御装置であり、車両外において記憶した（書き込まれた）データ等を、車両内に持ち込むために使用するものである。車両内ファイル制御装置５は、メインＣＰＵ７からの要求に基づいて、車両内の各種記憶媒体にあるデータを、メインＣＰＵ７に渡す機能を持っている。
【００３５】
通信制御装置６は、例えば、携帯電話、ＰＨＳ、無線ＬＡＮ装置などであって、車両外ファイル制御装置２１及び通信制御装置２２と、無線で接続する機能を持っている。また、インターネットへの接続機能を有するＷｅｂサーバとして構成することも可能である。
【００３６】
メインＣＰＵ７は、システム全体を制御する装置である。ユーザインタフェース制御装置８は、入力装置９からの入力に応じて、表示装置１０の表示画像を制御する装置であり、ＨＴＭＬファイル表示エンジン８１、ＨＴＭＬファイル一時記憶部８２、ＨＴＭＬファイル解析部８３、ユーザインタフェース画像作成部８４、画像合成部８５、入力検出部８６を有している。
【００３７】
ＨＴＭＬファイル表示エンジン８１は、一般的にＷｅｂブラウザと呼ばれている。これは、取得したＨＴＭＬファイルの内容を、ＨＴＭＬ言語規則に従って表示する機能を持っている。ＨＴＭＬファイルには、上述のように、「リンク」という他のファイルとの関連を定義する部分があり、そのリンクの指定を受けると、ネットワークを介して接続されたコンピュータ（例えば、Ｗｅｂサーバ）に対して、その関連付けられたファイルを要求する機能も持っている。また、ＨＴＭＬファイルの内容が一度に表示装置に表示できない場合には、ＨＴＭＬファイルのどの部分が現在表示されているかを、ユーザインタフェース画像作成部８４、画像合成部８５に伝える機能を持っている。
【００３８】
ＨＴＭＬファイル一時記憶部８２は、ＨＴＭＬファイル解析部８３がファイルを解析するにあたって、そのデータを一時的に記憶する機能を持っている。ＨＴＭＬファイル解析部８３は、取得したＨＴＭＬファイルから、ファイル間の相対関係を示すリンクに関する情報を抽出する機能を持っている。このときに取得する情報は、例えば、図２に示すように、それぞれのリンク情報がＨＴＭＬファイルのどの部分にあるかを示す表示位置の情報、リンクの内容を表現する言葉を示すリンク内容情報、リンク先のファイル情報を示すアドレス情報の３つである。各ＨＴＭＬファイルを取得した時点で、これら３つの情報をそれぞれのリンクに対して取得し、表示位置が最初の部分から順次番号を付けて、リンク１、リンク２として解析を行い、ＨＴＭＬファイル一時記憶部８２に同時に記憶しておく。
【００３９】
ユーザインタフェース画像作成部８４は、あらかじめ設定された規則に従って、ＨＴＭＬファイル解析部８３で解析されたリンク情報と、ＨＴＭＬファイル表示エンジン８１から取得した現在の表示位置を示す情報を用いて、その時点におけるユーザインタフェース画像（後述する）を作成する機能を持っている。ＨＴＭＬファイル表示エンジン８１による表示位置が変更になった場合には、作成する画像を逐次更新する。入力装置９から、ユーザインタフェース画像に示されたリンク先を選択する入力がなされた場合には、その入力に相当するリンク先を、ＨＴＭＬファイル一時記憶部８２から呼び出した上で、ＨＴＭＬファイル表示エンジン８１若しくはメインＣＰＵ７にそのデータを渡し、通信制御装置６を介した新規ＨＴＭＬファイル若しくはデータの取得プロセスに移れるようにする。
【００４０】
画像合成部８５は、システム全体を制御するメインＣＰＵ７で作成されるシステムの状態を表す画像と、ＨＴＭＬファイル表示エンジン８１で作成される画像と、ユーザインタフェース画像作成部８４で作成される画像とを合成する機能を持っている。このように合成されて表示される画像は、例えば、図３に示すように、大きく分けて３つの部分からなる。１つめは、メインＣＰＵ７によって制御される現在のシステムの状態を示す領域（Ａ）であり、ここでは現在表示しているファイルのＵＲＬ情報を示している。２つめはＨＴＭＬファイル表示エンジン８１によって表示される、いわゆるブラウザ画面に相当する領域である（Ｂ）。３つめは、ユーザインタフェース画像作成部８４で作成されるユーザインタフェース画像に相当する領域であり（Ｃ）、ＨＴＭＬファイル表示エンジン８１の領域と重複して、最前面に表示される。
【００４１】
入力検出部８６は、入力装置９の個々の入力を検出し、関係する制御部に渡す機能を持っており、例えば、タッチパネル装置を入力装置９として用いた場合には、画面上に表示された情報のうち、ブラウザ画面の領域が画面のタッチによって入力されるとＨＴＭＬファイル表示エンジン８１に、ユーザインタフェース画像の項目が画面のタッチによって入力されるとＨＴＭＬファイル解析部８３及びユーザインタフェース画像作成部８４に、それぞれ入力情報が渡される。また、入力装置９として、追加の若しくは異なる装置を用いた場合にも、同様に入力情報を各制御部に伝える。
【００４２】
その他の入力装置９の一例として、図４に示すように、ユーザインタフェース画像に対応する多数のスイッチ９１をマトリクス状に配置するとともに、タッチセンサ９２を備え、赤外線を介して、ユーザインタフェース制御装置８と信号を送受信可能に構成されたスイッチマトリクス装置９０を用いることもできる。なお、図４においては、スイッチ９１をタクトスイッチによって構成しているが、タッチパネルのように平面状のスイッチによって構成してもよい。また、タッチセンサ９２としては、圧力式のものを用いたり、誘導電流による静電容量の変動を用いる等、公知のあらゆるタイプのものを適用可能である。この場合、画面上に作成される画像情報とスイッチ９１の相対的な位置関係は一致し、例えば、スイッチマトリクス装置９０におけるいずれかのスイッチ９１が押された場合には、それに相当するボタン表示におけるリンクが、画面上で選択されることになる。さらに、その他の入力装置９の例としては、マウスや、ジョイスティック等があるが、それらは任意に組み合わせることが可能である。
【００４３】
表示装置１０は、本実施形態における種々の画像を画面表示するための装置であり、例えば、液晶ディスプレイ、有機エレクトロルミネッセンス（ＥＬ）ディスプレイ等、公知のあらゆるディスプレイを用いることができる。上述のように、ディスプレイ上に設置したタッチパネルを、入力装置９として用いることもできる。なお、ユーザインタフェース制御装置８は、メインＣＰＵ７と連携して機能する回路によって構成することができるが、その機能の全部若しくは一部を、メインＣＰＵ７を所定のプログラムで作動させることによって実現することもできる。
【００４４】
また、車両外において、情報を取得するためのコンピュータ２０としては、例えば、通常のパーソナルコンピュータ、携帯電話、ＰＨＳ、ＰＤＡ等を用いることができる。車両外ファイル制御装置２１は、通信が接続状態であれば、車両内のメインＣＰＵ７からの要求に応じて、取得可能な情報を提供する機能を持っている。また、直接、車両外ファイル制御装置２１の下の制御下にないデータであっても、インターネット等で接続されている場合で取得可能であるデータであれば、それを取得して、車両内のメインＣＰＵ７に伝達する機能を持っている。通信制御装置２２は、車両内の通信制御装置６と、無線で接続する機能を有している。これを、インターネットへの接続機能を有するＷｅｂサーバとして構成することも可能である。
【００４５】
〔実施形態の作用〕
以上のような本実施形態による表示制御処理の手順を、図５のフローチャート、図６〜８の表示画面例を参照して以下に説明する。なお、本実施形態においては、入力装置９の一つとして、スイッチマトリクス装置９０を用いる。すなわち、ユーザは入力装置９からの操作入力によって、ブラウザを開き、ユーザインタフェース制御装置８及びメインＣＰＵ７に対して、特定のＨＴＭＬファイルの取得を要求する（ステップ５０１）。これは、例えば、ブラウザを開いた時に、最初に表示されるホームページとして、あらかじめ設定されたものを自動的に要求する方法で行なっても、ＵＲＬの入力若しくは選択によって要求する方法で行なってもよい。
【００４６】
要求されたＨＴＭＬファイルは、通信制御装置６による通信によって、車両外ファイル制御装置２１から、若しくはインターネットを介してＷｅｂサーバから取得される（ステップ５０２）。ＨＴＭＬファイル表示エンジン８１は、取得したＨＴＭＬファイルの内容を、ＨＴＭＬ言語規則に従って、表示装置１０にページとして表示させる（ステップ５０３）。
【００４７】
ＨＴＭＬファイル解析部８３は、取得したＨＴＭＬファイルから、ファイル間の相対関係を示すリンクに関する情報を抽出する（ステップ５０４）。この情報は、例えば、図２に示すような、表示位置情報、リンク内容情報、アドレス情報の３つを、表示位置が最初の部分から順次番号を付けて、リンク１、リンク２として解析を行い、ＨＴＭＬファイル一時記憶部８２に同時に記憶される。なお、表示位置情報は、例えば、画面のスクロールによって逐次変動し、逐次更新される。
【００４８】
そして、ユーザが、スイッチマトリクス装置９０を手で触れると、これがタッチセンサ９２によって検出されるので、入力検出部８６は、ＨＴＭＬファイル解析部８３及びユーザインタフェース画像作成部８４に入力情報を送る（ステップ５０５）。すると、例えば、図６に示すように表示されたページにおいて、点線で囲った部分のリンク情報をユーザインタフェース画像とするように設定した場合には、ＨＴＭＬファイル解析部８３は、事前に抽出したリンク情報から、その部分に相当するリンク情報を、ユーザインタフェース画像作成部８４に出力する。ユーザインタフェース画像作成部８４においては、あらかじめ設定された仕様に基づいて、ユーザインタフェース画像を作成する（ステップ５０６）。
【００４９】
ここでは、例えば、図６に示すように、スイッチマトリクス装置９０の２×３のスイッチ９１に合わせた画像を作成するとする。つまり、指定された領域若しくはその近傍から、４つのリンクを表示したボタンを、スイッチマトリクス装置９０の両端の４つのスイッチ９１に対応するようにマッピングする。また、スイッチマトリクス装置９０の中央の二つのスイッチ９１に対しては、画面のスクロールに必要な機能ボタン（上方向若しくは下方向の矢印ボタンに対応）に対応するようにマッピングする。
【００５０】
以上のように作成されたユーザインタフェース画像は、システムの状態を表す画像と、ページの画像と合成されて、図６及び図７に示すように表示装置１０の画面に表示される（ステップ５０７）。つまり、ユーザがこのスイッチマトリクス装置９０に触れた場合には、タッチセンサ９２がオンとなり、上記３つの画像が表示されるが、ユーザがスイッチマトリクス装置９０に触れていない場合には、タッチセンサ９２がオフとなり、ユーザインタフェース画像は表示されないように制御される。
【００５１】
そして、ユーザインタフェース画像が表示された状態で、ユーザが、スイッチマトリクス装置９０の中央の二つのスイッチ９１のいずれか（上方向若しくは下方向の矢印ボタンに対応）を押圧すると、これが入力検出部８６によって検出され（ステップ５０８）、ＨＴＭＬファイル表示エンジン８１が、表示装置１０に既に表示されているページをスクロールさせるように表示させる（ステップ５０３）。このような画面のスクロールに従って、リンクの表示位置も変るので、これに合わせて、ＨＴＭＬファイル解析部８３はリンク情報を更新する（ステップ５０４）。その後、ユーザがこのスイッチマトリクス装置９０に触れている場合には、上記のステップ５０５〜５０７と同様の処理が行なわれるので、図８に示すように、スクロールに合わせてリンク表示を変更したユーザインタフェース画像が表示される。
【００５２】
また、ユーザインタフェース画像が表示された状態で、ユーザが、スイッチマトリクス装置９０の両端の４つのスイッチ９１のいずれかを押圧すると、これが入力検出部８６によって検出され（ステップ５０９）、ＨＴＭＬファイル表示エンジン８１が、押圧されたスイッチ９１に対応するリンク先のＨＴＭＬファイルの取得を要求するので（ステップ５０１）、上記と同様の手順によって、選択されたリンク先のページ表示、ユーザインタフェース画像表示が行なわれる（ステップ５０２〜５０７）。なお、表示装置１０の画面上のタッチパネルに関しては、ユーザが視覚的に確認しながら、ユーザインタフェース画像のボタン領域に触れることによって、同様の操作を行うことができる。また、ユーザインタフェース画像を表示させない場合や、表示していない領域では通常のタッチパネルと同じ動作で入力を行うことができる。さらに、入力装置９からの操作入力によって、ブラウザを閉じることによって（ステップ５１０）、表示制御処理を終了する。
【００５３】
以上のように、本実施形態では、背景にＨＴＭＬファイルに基づくページをそのまま表示し、操作が必要なときには、その目的とする操作に必要なリンクの情報をユーザが利用可能な数と大きさに再編成して提示することが可能となる。通常のユーザが一般的に利用しているＨＴＭＬファイルを用いているために、それらの中にある情報の大体の傾向はユーザが把握しており、大体どのあたりに、どのような情報があるかを画像のスナップショットに近い形で慣れ親しんで記憶している。複雑な操作をする場合にはそのページに表示された情報を直接選択することで操作できるが、例えば、簡単なリンク先の選択などのようにユーザに対して付加の少ない情報を操作するような場合には、そのＨＴＭＬファイルに直接同期させつつ、リンク先を少ないボタンで見やすい形で提供できる。
【００５４】
〔実施形態の効果〕
以上のような本実施形態によれば、車両の停止中や車両外のように、画面を注視して作業ができるような場合に適したページによる提示と、それらのページから操作に必要な項目を抜き出し、少数のボタンとその項目名に順次置き換えて、比較的大きな文字とボタンからなるユーザインタフェース画像で提示するような提示を、同一の画面上に重ねて表示し、且つ、その二つの提示をお互いに同期させることができる。
【００５５】
従って、車両外での通常の情報機器による情報の取得と、車両内での車載機器による情報の取得とを、全く違うユーザーインタフェースで操作しているという印象を与えずに、ユーザーが普段得ている使い勝手に近い状態で、各種情報を取得でき、ユーザーが所望の情報を取得する際の操作性を改善することができる。
【００５６】
また、情報を提示するユーザインタフェース画像とは別に、スイッチマトリクス装置９０を利用することによって、ユーザが運転中であっても、簡単に操作することができる。特に、スイッチマトリクス装置９０におけるスイッチ９１が、ユーザインタフェース画像に含まれる項目の位置に対応しているので、ユーザが手探りでの選択操作をし易い。さらに、操作をするときのみ、タッチセンサ９２に触れることによって、ユーザインタフェース画像を表示させることができるので、ぺージ表示等、他の表示の邪魔にならず、運転中のユーザにとって非常に操作し易い。
【００５７】
また、スイッチマトリクス装置９０は、赤外線を介して信号を送受信できるので、車両内での配置位置の自由度が高く、ユーザが操作し易い位置に配置して利便性を向上させることができる。さらに、赤外線を利用しているので、他の通信機器の電波の干渉を受けずに、入力装置による操作を行うことができる。
【００５８】
〔他の実施形態〕
なお、本発明は上記各実施形態に限定されるものではない。例えば、表示されるユーザインタフェース画像における形態や色、リンクの項目数や項目内容、機能ボタンの種類や数、リンク抽出領域等は自由に変更可能である。また、これに応じて、スイッチマトリクス装置のスイッチ数も適時変更可能である。
【００５９】
また、リンク先へのジャンプ動作としては、指定されたＵＲＬへの移動だけでなく、例えば音を鳴らしたり、アニメーションを動かしたり、特定のスクリプトやアプレットのスタートなどでもよい。
【００６０】
また、本発明を、ナビゲーションシステムと組合せれば、ナビゲーション装置におけるディスプレイを利用して、ナビゲーションに必要な情報の提供を効率よく受けることができ、利便性が向上する。さらに、本発明が適用される移動体としては、車両には限定されず、飛行機や船舶等、あらゆるものに適用可能である。
【００６１】
【発明の効果】
以上のように、本発明によれば、移動体の内外において、共通のインタフェースで利用することができ、ユーザへの負担が少ない移動体用情報提示装置及び方法並びに情報提示用プログラムを提供することができる。
【図面の簡単な説明】
【図１】本発明の実施形態の構成を示す機能ブロック図。
【図２】本発明の実施形態におけるリンク情報の一例を示す図。
【図３】本発明の実施形態において、合成表示に用いられるシステムの状態を示す画像（Ａ）、ブラウザ画面（Ｂ）、ユーザインタフェース画像（Ｃ）を示す図。
【図４】本発明の実施形態におけるスイッチマトリクス装置を示す斜視図。
【図５】本発明の実施形態における表示制御処理の手順を示すフローチャート。
【図６】本発明の実施形態における表示装置の表示画面例を示す図。
【図７】本発明の実施形態におけるユーザインタフェース画像の表示、非表示の切り替えを示す図。
【図８】本発明の実施形態におけるユーザインタフェース画像のスクロール表示を示す図。
【符号の説明】
１…ＲＯＭ制御装置
２…一時記憶媒体制御装置
３…書換可能記憶媒体制御装置
４…可搬記憶媒体制御装置
５…車両内ファイル制御装置
６，２２…通信制御装置
８…ユーザインタフェース制御装置
９…入力装置
１０…表示装置
２０…コンピュータ
２１…車両外ファイル制御装置
８１…ＨＴＭＬファイル表示エンジン
８２…ＨＴＭＬファイル一時記憶部
８３…ＨＴＭＬファイル解析部
８４…ユーザインタフェース画像作成部
８５…画像合成部
８６…入力検出部
９０…スイッチマトリクス装置
９１…スイッチ
９２…タッチセンサ
【図１】
2004038342.tif 000003
【図２】
2004038342.tif 000004
【図３】
2004038342.tif 000005
【図４】
2004038342.tif 000006
【図５】
2004038342.tif 000007
【図６】
2004038342.tif 000008
【図７】
2004038342.tif 000009
【図８】
2004038342.tif 000010